(57)【要約】【課題】滑りにくく且つ強度が確保され、クリップにより物品を安定して挟持できる筆記具用キャップ及び筆記具を提供する。【解決手段】ペン先を保護するための筒状のキャップ本体であって側面に取付穴３ｃが形成された弾性体からなるキャップ本体３と、基部４及び該基部４外側面に設けられた挟持部５を備えたクリップ部材２とを具備し、基部４が筆記具先端を受容し且つ挟持部５が取付穴３ｃを介してキャップ本体３外に延びるようにクリップ部材２をキャップ本体３に対して設ける。【選択図】図７
2014159173.tif 000002
【特許請求の範囲】
【請求項１】
ペン先を保護するための筒状のキャップ本体であって側面に取付穴が形成された弾性体からなるキャップ本体と、基部及び該基部外側面に設けられた挟持部を備えたクリップ部材とを具備し、前記基部が筆記具先端を受容し且つ前記挟持部が前記取付穴を介して前記キャップ本体外に延びるように前記クリップ部材を前記キャップ本体に対して設けた筆記具用キャップ。
【請求項２】
前記基部が環状に形成されている請求項１に記載の筆記具用キャップ。
【請求項３】
前記基部よりも長手方向開口端側の前記キャップ本体内壁に、筆記具本体に設けられた嵌合突起との嵌合を形成する係止突起が設けられた請求項１又は２に記載の筆記具用キャップ。
【請求項４】
前記基部が、前記嵌合時に、筆記具本体に設けられた係止面と当接する後端面をさらに具備した請求項３に記載の筆記具用キャップ。
【請求項５】
当該筆記具用キャップの外表面に、その内部と連通する少なくとも１つの貫通孔を形成した請求項１から４のいずれか１つに記載の筆記具用キャップ。
【請求項６】
前記キャップ本体先端部分の内壁によって保持され、当該筆記具用キャップを筆記具本体に装着すると、筆記具先端の筆記部と係合して筆記部をシールするシール部材をさらに具備した請求項１から５のいずれか１つに記載の筆記具用キャップ。
【請求項７】
前記挟持部の後端には玉部が形成され、前記キャップ本体の外周面には前記玉部に対応する形状の凹部が形成され、前記玉部及び前記凹部が対向して配置された請求項１から６のいずれか１つに記載の筆記具用キャップ。
【請求項８】
前記キャップ本体が、その先端の頂部近傍に対応する場所以外にゲート部を有する型を用いて射出成形される請求項１から７のいずれか１つに記載の筆記具用キャップ。
【請求項９】
請求項１から８のいずれか１つに記載のキャップを装着した筆記具。
【発明の詳細な説明】
【技術分野】
【０００１】
本発明は筆記具用キャップ及び筆記具に関する。
【背景技術】
【０００２】
装飾の目的で、クリップ及び筐体を一体的に設けた内キャップを１次成形し、内キャップ全体を覆って内キャップより長い全長を有する外キャップを２次成形して形成された筆記具用キャップが公知である（特許文献１参照）。
【０００３】
また、筆記具を、コンピュータや電子手帳の入力手段であるタッチペンとして利用可能にする目的で、先端部にシャープペンシルの芯が出没可能な貫通孔を有し、軟質系弾性材料で形成された筆記具のキャップ状の筆記具用グリップが公知である（特許文献２参照）。
【０００４】
さらに、部品点数を少なくし、装飾の目的で、キャップ本体と、キャップ本体へ固定されるクリップ支持部及びクリップ支持部により支持されるクリップ片からなるクリップとを有する筆記具用キャップが公知である（特許文献３参照）。
【先行技術文献】
【特許文献】
【０００５】
【特許文献１】特開平１１−３４２６９７号公報
【特許文献２】特開平１１−１９８５８５号公報
【特許文献３】特開２００４−１３０６８１号公報
【発明の概要】
【発明が解決しようとする課題】
【０００６】
特許文献１の筆記具用キャップによれば、２色成形によって筆記具用キャップが形成されるが、その効果は装飾性を施すことにすぎない。従って、従来の筆記具用キャップと同様に、キャップ表面が滑りやすく、筆記具本体からの着脱がし難いという問題がある。また、表面が滑りやすいことによって、それを持った手や、収納した胸ポケット等からの脱落の危険もある。
【０００７】
特許文献２の筆記具用グリップは、弾性材料で形成されているため、特許文献１の筆記具用キャップに比べれば、滑りにくい構造である。しかしながら、特許文献２に記載されたものは、シャープペンシルをタッチペンとして利用可能にするためのグリップに過ぎず、キャップとしての機能は考慮されていない。すなわち、特許文献２の筆記具用グリップは、書類や衣類等の物品を挟持するためのクリップや、筆記具先端の筆記部からのインクの揮発を防止するためのシールゴム等を具備していない。仮にこの構造にクリップを取り付けようとすると、グリップ本体全体が弾性材料で形成されていることから、取り付け部分の強度が弱くなり、従って物品を安定して挟持することができない。さらに、全体が弾性材料で形成されていることから、垂直に落下した場合等、筆記具の軸線方向に力を受けたときに、座屈が生じ、筆記具先端の筆記部が損傷する恐れもある。
【０００８】
特許文献３の筆記具用キャップは、キャップ本体の内壁に設けられた嵌合部でのみ筆記具本体と嵌合するため、クリップ片を持ち上げて物品を挟持する際に、嵌合が緩む場合がある。さらに、この筆記具用キャップは、筆記具先端の筆記部からのインクの揮発を防止するためのシールゴムを配置するような構成とはなっていない。
【０００９】
そこで本発明は、滑りにくく且つ強度が確保され、クリップによって物品を安定して挟持できる筆記具用キャップ及び筆記具を提供することを目的とする。
【課題を解決するための手段】
【００１０】
前記課題を解決するために請求項１に記載の発明によれば、ペン先を保護するための筒状のキャップ本体であって側面に取付穴が形成された弾性体からなるキャップ本体と、基部及び該基部外側面に設けられた挟持部を備えたクリップ部材とを具備し、前記基部が筆記具先端を受容し且つ前記挟持部が前記取付穴を介して前記キャップ本体外に延びるように前記クリップ部材を前記キャップ本体に対して設けた筆記具用キャップが提供される。
【００１１】
すなわち、請求項１に記載の発明では、キャップ本体が弾性体からなるため、滑りにくい構造となっている。その一方で、キャップ本体を弾性体にすることによって強度が低下し、クリップ自体の取り付けが不安定なことから物品の挟持力が弱いという問題を、クリップ部材が基部を備えることによってキャップ本体を補強し、解消している。従って、本発明による筆記具用キャップは、滑りにくく且つ強度が確保され、クリップにより物品を安定して挟持できるという効果を奏する。
【００１２】
また、請求項２に記載の発明によれば請求項１に記載の発明において、前記基部が環状に形成されている筆記具用キャップが提供される。すなわち、請求項２に記載の発明では、基部が環状であることによって、筆記具用キャップは、全周方向からの負荷に対して補強される。
【００１３】
また、請求項３に記載の発明によれば請求項１又は２に記載の発明において、前記基部よりも長手方向開口端側の前記キャップ本体内壁に、筆記具本体に設けられた嵌合突起との嵌合を形成する係止突起が設けられた筆記具用キャップが提供される。すなわち、請求項３に記載の発明では、基部という新規な構成を有する当該筆記具用キャップであっても、筆記具本体との嵌合を形成することが可能となる。
【００１４】
また、請求項４に記載の発明によれば請求項３に記載の発明において、前記基部が、前記嵌合時に、筆記具本体に設けられた係止面と当接する後端面をさらに具備した筆記具用キャップが提供される。すなわち、請求項４に記載の発明では、筆記具用キャップ及び筆記具本体間の相対的な長手方向の位置決めが可能となる。また、嵌合時に係止面と後端面とが当接することからゆるみの少ない嵌合が実現できる。さらに、キャップ嵌合時にはっきりとした音とクリック感が得られ、嵌合の確認が容易となる。
【００１５】
また、請求項５に記載の発明によれば請求項１から４のいずれか１つに記載の発明において、当該筆記具用キャップの外表面に、その内部と連通する少なくとも１つの貫通孔を形成した筆記具用キャップが提供される。すなわち、請求項５に記載の発明では、当該筆記具用キャップの筆記具本体に対する着脱時に、貫通孔を通して空気が自在に出入りすることが可能となる。従って、当該筆記具用キャップの内圧の上昇又は低下がなく、筆記具用キャップをスムーズに着脱することが可能となる。また、キャップを誤って飲みこんでしまった場合も、通気孔としての機能があるため窒息を防ぐことができる。
【００１６】
また、請求項６に記載の発明によれば請求項１から５のいずれか１つに記載の発明において、前記キャップ本体先端部分の内壁によって保持され、当該筆記具用キャップを筆記具本体に装着すると、筆記具先端の筆記部と係合して筆記部をシールするシール部材をさらに具備した筆記具用キャップが提供される。すなわち、請求項６に記載の発明では、筆記具が揮発性の高いインクを使用している場合に、筆記部がシールされることから、筆記部からのインクの揮発を防止することが可能となる。さらに、シール部材とキャップの取り付けにおける密着性が高いので、シール部材が外れ難くなる。
【００１７】
また、請求項７に記載の発明によれば請求項１から６のいずれか１つに記載の発明において、前記挟持部の後端には玉部が形成され、前記キャップ本体の外周面には前記玉部に対応する形状の凹部が形成され、前記玉部及び前記凹部が対向して配置された筆記具用キャップが提供される。すなわち、請求項７に記載の発明では、玉部及び凹部が対応する形状を有することから、書類や衣類等の挟持される物品も同様の形状に変形されることから、抜けにくく、よりしっかりと挟持をすることが可能となる。
【００１８】
また、請求項８に記載の発明によれば請求項１から７のいずれか１つに記載の発明において、前記キャップ本体が、その先端の頂部近傍に対応する場所以外にゲート部を有する型を用いて射出成形される筆記具用キャップが提供される。すなわち、請求項８に記載の発明では、ゲート残り（又はゲート跡）がキャップ本体の頂部には形成されないことから、美感を損なわず、また、頂部を筆跡の消去部材として使用する場合に、紙面等を傷つける心配もない。
【００１９】
また、請求項９に記載の発明によれば、請求項１から８のいずれか１つに記載のキャップを装着した筆記具が提供される。
【発明の効果】
【００２０】
各請求項に記載の発明によれば、滑りにくく且つ強度が確保され、クリップにより物品を安定して挟持できるという共通の効果を奏する。
【図面の簡単な説明】
【００２１】
【図１】筆記具用キャップの斜視図である。
【図２】筆記具用キャップの正面図である。
【図３】筆記具用キャップの平面図である。
【図４】筆記具用キャップの底面図である。
【図５】筆記具用キャップの右側面図である。
【図６】筆記具用キャップの左側面図である。
【図７】筆記具用キャップの断面図である。
【図８】筆記具用キャップのクリップ部材の斜視図である。
【図９】シールゴムを装着した筆記具用キャップの右側面図である。
【図１０】シールゴムを装着した筆記具用キャップの断面図である。
【図１１】開口端部に硬質リングが設けられている筆記具用キャップの斜視図である。
【図１２】開口端部に硬質リングが設けられている筆記具用キャップの断面図である。
【図１３】筆記具用キャップを装着した筆記具全体の断面図である。
【図１４】図１３に示される筆記具先端の部分拡大断面図である。
【発明を実施するための形態】
【００２２】
図１は筆記具用キャップの斜視図である。１は筆記具用キャップ全体を示し、２はクリップ部材、３はキャップ本体を示す。
【００２３】
キャップ本体３の側面には、筆記具の中心軸線に対して対称に配置され、クリップ部材２を介して筆記具用キャップ１内部と連通する２つの貫通孔３ａが設けられている。キャップ本体３に貫通孔３ａが設けられていることによって、筆記具用キャップ１の筆記具本体に対する着脱時に、貫通孔３ａを介して筆記具用キャップ１内の空気が自由に出入りできるようになる。そのため、筆記具用キャップ１内圧の上昇又は低下がなく、筆記具用キャップ１をスムーズに着脱することが可能となる。また、２つの貫通孔３ａが軸対称に配置されることによって、２つの穴から空気の出入りが均等に行われ、軸対称に配置されていない場合に較べてよりスムーズな着脱が可能となる。なお、本実施形態では、貫通孔は２つであるが、１つ又は３つ以上であってもよく、外表面のどこに設けられていてもよい。
【００２４】
キャップ本体３の側面には、さらに、美的効果及び滑り止めのため、外周面に複数のディンプル３ｂが形成されている。ディンプルの代わりに、外周面周りに螺旋状に形成された溝による模様や、外周面に沿って環状に形成された溝による模様、又は、長手方向に延びる直線状に形成された溝を外周面に周りに複数配置した模様等であってもよい。
【００２５】
図２は、筆記具用キャップ１の正面図であり、図３はその平面図、図４はその底面図、図５はその右側面図、図６はその左側面図であり、図７は、筆記具用キャップ１の断面図であり、図８は、筆記具用キャップ１のクリップ部材の斜視図である。
【００２６】
なお、本明細書では、筆記具用キャップの閉鎖端側を先端又は前側とし、筆記具用キャップの開口端側を後端又は後側とする。
【００２７】
図２乃至図８を参照しながらクリップ部材２について説明する。クリップ部材２は、基部４及び基部４の外側面に一体的に形成された挟持部５からなる。なお、本実施形態では、基部４は環状に形成されており、以下、環状部４と称す。
【００２８】
環状部４は、後側の口径が前側の口径よりも大きく、その外観は略テーパー形状となっており、筆記具先端を受容するように構成されている。環状部４の内壁は、前端部及び後端部から内方に所定長さだけ略円筒形状で形成され、これら円筒形状で形成された領域間はテーパー状に形成されている。また、キャップ本体３の貫通孔３ａに対応する部分には、筆記具用キャップ１の外部と内部とが連通するように、貫通孔３ａと同様の形状をした切り欠き部４ａが形成されている。さらに、後側の円筒形状の内壁部分には、長手方向に亘って中心軸線に向かって突出したガイド突起４ｂが等間隔に複数設けられている。ガイド突起４ｂについては後述する。
【００２９】
挟持部５は、キャップ本体３との間に書類や衣類等の物品を、挟持することができるような弾性を有するように構成されている。挟持部５の後端には玉部５ａが一体的に形成される。
【００３０】
クリップ部材２を形成する材料として、ポリカーボネート、アクリロニトリル・ブタジエン・スチレン等の合成樹脂が挙げられる。しかしながら、挟持部５の屈曲時等における破断防止のため、弾性材料、特に以下に示すキャップ本体と同じ弾性材料を用いて形成してもよい。
【００３１】
キャップ本体３は、筆記具のペン先を保護するように、一端が閉鎖された弾性体からなる筒状の部材であり、その側面に取付穴３ｃが形成されている。キャップ本体３内にクリップ部材２の環状部４が配置され、クリップ部材２の挟持部５が取付穴３ｃを介してキャップ本体３の外に延びるように設けられている。すなわち、キャップ本体３は、クリップ部材２の環状部４の前側の開口を閉鎖すると共に後側の開口から所定長さだけ円筒状に延び、筆記具本体が挿入される開口を形成している。
【００３２】
クリップ部材２の玉部５ａに対向するキャップ本体３の外周面には、玉部５ａに対応する形状をした凹部３ｄを形成してもよい。玉部５ａ及び凹部３ｄが対応する形状を有することによって、書類や衣類等の挟持される物品も同様の形状に変形されて、よりしっかりと挟持され、外れにくくなる。
【００３３】
キャップ本体３を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといった弾性材料、２種以上の弾性材料の混合物、及び、弾性材料と合成樹脂との混合物が挙げられる。
【００３４】
図９は、シールゴム６を装着した筆記具用キャップ１の右側面図であり、図１０は、シールゴム６を配置した筆記具用キャップ１の断面図である。シールゴム６は、筆記具用キャップ１が用いられる筆記具が揮発性の高いインクを使用したボールペン等の場合に、筆記具先端の筆記部からのインクの揮発を防止するためにキャップ本体３内に配置される。図９及び図１０は、シールゴム６を付加した点以外、図５及び図７に示される図とそれぞれ同様である。
【００３５】
本実施形態におけるシールゴム６は任意の弾性材料からなる弾性体からなり、図１０に示されるように、両面に同軸に円形の凹部を有する略円板状であり、Ｈ型の縦断面形状を有している。なお、シールゴム６は、球状等その他形状であってもよい。
【００３６】
図７及び図１０を参照すると、キャップ本体３の先端内壁には、長手方向に亘って中心軸線に向かって延びる複数のリブ３ｅが設けられ、シールゴム６を弾性変形させつつ挟持する構造となっている。リブ３ｅは、等間隔に配列され、３つ以上あることが好ましい。
【００３７】
キャップ本体３内にシールゴム６を配置した状態で筆記具用キャップ１に筆記具本体を挿入すると、筆記具先端の筆記部がシールゴム６と係合する。すなわち、筆記部がシールゴム６の中央部分を押圧すると、シールゴム６は弾性変形し、筆記部がシールゴム６内に埋没する。その結果、筆記部からのインクの揮発を防止することが可能となる。
【００３８】
さらに、製造工程においてシールゴム６をキャップ本体３内へ配置するとき、キャップ本体３が弾性体からなることから、シールゴム６の挿入時にキャップ本体３も弾性変形するため、シールゴム６の寸法公差が多少大きくても確実に配置することが可能となる。
【００３９】
図１１は、開口端部に硬質リング８が設けられている筆記具用キャップ１の斜視図であり、図１２は、開口端部に硬質リング８が設けられている筆記具用キャップ１の断面図である。図１１及び図１２は、筆記具用キャップ１の開口端部に硬質リング８が設けられている以外は、上述の実施形態と同様である。
【００４０】
ここで「硬質」とは、少なくともキャップ本体３を形成する材料よりは硬いことを意味し、硬質リング８を形成する材料として、ポリカーボネート、ガラス、金属等が挙げられる。また、クリップ部材２を形成する材料と同じ材料を用いてもよい。
【００４１】
硬質リング８は、略円筒状に形成された環状のリング部材であり、キャップ本体３の開口端部の外周面に嵌合される。すなわち、キャップ本体３の外周面には、開口端から所定長さに亘って硬質リング８を受容する環状の凹部３ｇが、硬質リング８を受容するように形成されている。硬質リング８の内径は、キャップ本体３の凹部３ｇ部分の外径と略同じか又はそれよりも僅かばかり小さく形成される。硬質リング８の外径は、キャップ本体３の開口端部近傍と略同じ外径に形成され、従って、略同一の外周面を形成する。硬質リング８が嵌合した状態で、キャップ本体３の後端面及び硬質リング８の後端面は、略同一の後端面を形成する。
【００４２】
なお、上述の略円筒状の硬質リング８は、外周面や後端面がその他のキャップ本体３部分と同一面を形成するよう径方向の断面形状が長方形であったが、その他の断面形状、例えば円形や楕円形等であってもよい。
【００４３】
硬質リング８のキャップ本体３の凹部３ｇへの嵌合は、圧入によって行われる。キャップ本体３が十分な剛性を有さず、硬質リング８が外れる恐れがある場合には、両者を接着剤によって接着してもよい。また、硬質リング８は、後述するように、クリップ部材２と共に２色成形によってキャップ本体３に設けてもよい。
【００４４】
筆記具用キャップ１の開口端部に硬質リング８を設けることによって、開口端部の撓みが防止されることから、使用者が筆記具用キャップ１をしっかりと保持することが可能となる。また、キャップ本体３とは異なる素材を用いることによって、開口端部がその他のキャップ本体３部分とは異なる質感を有することから、装飾効果を得ることもできる。
【００４５】
次に、図１３及び図１４を参照しながら、筆記具用キャップ１を筆記具本体７へ装着した際の嵌合について説明する。図１３は、筆記具用キャップ１を装着した筆記具全体の断面図であり、図１４は、筆記具用キャップ１を装着した筆記具先端の部分拡大断面図である。
【００４６】
筆記具本体７は、筆記部７ａと嵌合突起７ｂと係止面７ｃとを有している。図１３及び図１４に示される筆記部７ａは、ボールペンの筆記部７ａであり、シールゴム６が弾性変形している状態が示されている。嵌合突起７ｂは、筆記具本体７の外周面全周に亘って形成された突起であり、係止面７ｃは、筆記部７ａ側の嵌合突起７ｂの底部近傍から形成された、筆記具の中心軸線に対して略垂直な環状の平面である。一方、クリップ部材２の環状部４よりも後側のキャップ本体３の内壁には、筆記具本体７の嵌合突起７ｂと係合する係止突起３ｆが全周に亘って形成されている。
【００４７】
図面右方向から左方向に向かって筆記具用キャップ１内に筆記具本体７を挿入すると、まず、筆記具本体７の嵌合突起７ｂが、キャップ本体３の係止突起３ｆと当接し係止する。その状態からさらに筆記具本体７を押し込むと、筆記具本体７の嵌合突起７ｂとキャップ本体３の係止突起３ｆとが互いに押圧し合い、中心軸線に対して垂直方向の反力が双方に生じる。その結果、筆記具本体７の収縮方向及びキャップ本体３の拡大方向のいずれか一方又は両方の弾性変形が生じ、筆記具本体７の嵌合突起７ｂが、キャップ本体３の係止突起３ｆとの係止を離れて、キャップ本体３内奥へと通過することができる。筆記具本体７の嵌合突起７ｂがキャップ本体３の係止突起３ｆを通過した後に、筆記具本体７の係止面７ｃが、クリップ部材２の環状部４の後端面４ｃと当接して係止し、図１３及び図１４に示された状態のように、筆記具用キャップ１と筆記具本体７との嵌合が完了する。
【００４８】
嵌合が完了すると、筆記具本体７をキャップ本体３内に押し込む方向については、筆記具本体７の係止面７ｃと環状部４の後端面４ｃとの係止によって規制され、筆記具本体７をキャップ本体３から外す方向については、筆記具本体７の嵌合突起７ｂとキャップ本体３の係止突起３ｆとの間の、上述の押し込む方向とは逆方向の係止によって規制される。
【００４９】
筆記具用キャップ１を筆記具本体７から外す際には、上述の筆記具用キャップ１の筆記具本体への装着とは反対に、筆記具本体７を引っ張ることによって、中心軸線に対して垂直方向の反力を双方に生じさせる。それによって生じる弾性変形によって、筆記具本体７の嵌合突起７ｂとキャップ本体３の係止突起３ｆとの係止が外れ、筆記具用キャップ１を筆記具本体７から外すことができる。
【００５０】
嵌合時、筆記具本体７の係止面７ｃと環状部４の後端面４ｃとが当接又は近接していることによって、物品を挟持するために挟持部５を持ち上げる際に筆記具用キャップ１自体に加わる力は、環状部４と、係止面７ｃ及び後端面４ｃ間の当接面とによって吸収される。従って、キャップ本体３が、大きく変形したり、筆記具本体７に対して大きく移動したりするようなことはなく、筆記具先端の筆記部７ａとシールゴム６との係合も外れることなく維持される。
【００５１】
筆記具本体７の嵌合突起７ｂ及びキャップ本体３の係止突起３ｆは、それぞれ筆記具本体７の外周面の全周及びキャップ本体３の内壁の全周に亘って形成されているが、それぞれ少なくとも一部に形成されるように構成してもよい。
【００５２】
キャップ本体３に対する環状部４の後端面４ｃの位置と、キャップ本体３の係止突起３ｆの形状及び位置と、筆記具本体７の嵌合突起７ｂの形状とを調整することにより、ゆるみ（遊び）の少ない、よりしっかりとした嵌合を実現することが可能となる。係止突起３ｆの位置は、後端面４ｃに近い位置の方が望ましい。さらに、ゆるみが少ないため、筆記部７ａがシールゴム６と確実に係合し、筆記部７ａのシール不良によるインクの揮発を防止することができる。さらに、上述の嵌合及び筆記部７ａとシールゴム６との係合を阻害しないように、キャップ本体３の後端面と該後端面と係合する筆記具本体７の部分とが間隙を有して構成されている（図１３のＡ部参照）。
【００５３】
クリップ部材２の環状部４の長手方向の長さは、様々に設定することができるが、短くすればするほど、キャップ本体３が弾性体であることから、挟持部５の安定性が悪くなる。従って、環状部４の長手方向の長さは、挟持部５の安定性が許容範囲内となるように決定される。また、環状部４の後端面４ｃが、キャップ本体３の後端面を越えないように決定されることが好ましい。
【００５４】
筆記具用キャップ１に筆記具本体７を挿入する際には、筆記具用キャップ１の中心軸線と筆記具本体７の中心軸線とが一致するように、真っ直ぐに挿入されることが望ましい。しかしながら、時として、筆記具用キャップ１に筆記具本体７が真っ直ぐ挿入されず、２つの中心軸線が斜めになった状態で挿入される。このため、両者をうまく嵌合させることができない場合がある。
【００５５】
そこで、上述のように、クリップ部材２の環状部４にガイド突起４ｂを設け、筆記具用キャップ１に筆記具本体７が斜めに挿入された場合であっても、最終的に嵌合が完了するときには両者の中心軸線は一致した状態に案内されるように構成される。すなわち、クリップ部材２の環状部４にガイド突起４ｂが設けられていることによって、ガイド突起４ｂ頂点部分を通るクリップ部材２の環状部４の実質的な内径が、ガイド突起４ｂを有さない通常のキャップの内径と比較して小さくなる。そのため、環状部４と筆記具本体７との間のゆるみ（遊び）が少なくなり、筆記具本体７の挿入時に両中心軸線が形成し得る角度がより小さくなる。従って、筆記具本体７が斜めに挿入された場合において、環状部４のガイド突起４ｂと当接した筆記具本体７の外周との間の摩擦抵抗がより小さくなり、嵌合がスムーズに行われる。
【００５６】
また、ガイド突起４ｂを有することによって、筆記具本体７の外周との接触面積もより小さくなり、そのため摩擦抵抗もより小さくなる。なお、ガイド突起４ｂはその他の形状を有してもよく、その形状及び長手方向の長さは、ガイド突起４ｂと筆記具本体７の前方部は接触しない又は嵌合しない形状にすることで、筆記具本体７が斜めに挿入された場合であっても嵌合不良を起こさないように最適化される。
【００５７】
ガイド突起４ｂは、筆記具用キャップ１に対する筆記具本体７のセンタリングにも役立つ。すなわち、ガイド突起４ｂを有することによって、上述のように環状部４と筆記具本体７との間のゆるみが少なくなり、正確にセンタリングをすることができる。また、筆記具本体７のセンタリングは主にクリップ部材２の環状部４に設けられたガイド突起４ｂによって行われることから、筆記具用キャップ１の全長によらずセンタリングを行うことが可能となる。
【００５８】
さらに、このガイド突起４ｂは、例えば筆記時に、筆記具用キャップ１を筆記具本体７の後端部７ｄに取り付けた場合に安定した嵌合を提供する。すなわち、上述の筆記具本体７の筆記部７ａ側への筆記具用キャップ１の嵌合は、スナップ式の嵌合であるのに対して、筆記具本体７の後端部７ｄへの筆記具用キャップ１の嵌合は、圧入によって行われる。従って、ガイド突起４ｂ頂点部分を通るクリップ部材２の環状部４の内径と、筆記具本体７の後端部７ｄの外径との関係に加え、図１３における圧入距離Ｌの長さを最適に設計することによって、所望の嵌合力を得ることが可能となる。嵌合力を設定する１つの指針として、筆記具用キャップ１を筆記具本体７の後端部７ｄに嵌合した状態で、後述するように、キャップ本体３の頂部等を筆跡の消去部材として使用し、紙面等を擦過した場合に、安定しているか否かということが挙げられる。
【００５９】
筆記具用キャップ１は、例えば、２色成形によって作製することができる。２色成形を用いた場合には、まず、クリップ部材２を１次成形し、その後、キャップ本体３を２次成形することによって、筆記具用キャップが形成される。
【００６０】
２色成形は、通常、１次成形用及び２次成形用の金型とコアピンを用い、コアピン先端周りに筆記具用キャップを成形するが、射出成形時に、コアピンが一端でしか保持されていない場合は、コアピンの曲がり等が生じ、正確な寸法形状に成形できない場合がある。すなわち、射出成形時にコアピンの先端部は、通常、固定されておらず、他端によってのみ保持されている。
【００６１】
そこで、射出成形時に、金型からキャビティ内へ突出する固定ピンがコアピン先端に当接し支持することによって、コアピンの先端部を固定し、射出成形時のコアピンの曲がりを防止している。なお、射出成形中もコアピン先端には固定ピンが当接しているため、成形品は固定ピンの形状で空隙を有する。これを利用し、固定ピンの横断面形状を選択することによって、１次成形ではクリップ部材２の切り欠き部４ａを、２次成形ではキャップ本体３の貫通孔３ａを、成形することができる。なお、固定ピンはコアピン側に設けられてもよい。
【００６２】
筆記具用キャップ１の表面の大部分を占めるキャップ本体３が、弾性材料からなることから、筆記具用キャップ１及びそれを装着した筆記具は滑りにくい。また、クリップ部材２が環状部４を有することによって、挟持動作時に特に負荷がかかる部分が補強されるため、強度を確保することができ、物品を安定して挟持することができる。従って、筆記具を持った手や、収納した胸ポケット等からの脱落の危険性が、従来の筆記具に較べて少なくなるという利点がある。なお、本実施形態では、基部４を環状に形成したが、キャップ本体を補強することができる任意の形状、例えば、Ｃ字型の横断面を有する形状であってもよい。
【００６３】
また、例えば、通常、使用者が良く行う動作であるが、掌、中指、薬指、及び小指で筆記具本体を把持し、人差し指と親指で筆記具用キャップを着脱する場合にも、滑りにくく、容易に着脱ができるという利点もある。さらに、例えば、振動や衝撃に弱いボールペン等において、筆記具がキャップ頂部から垂直に落下した場合等、筆記具本体への衝撃は弾性体からなる筆記具用キャップによって緩和され、且つ、クリップ部材２によって強度も確保される。それによって、筆記部からの液漏れ等の不具合が発生する危険性も軽減されるという利点もある。
【００６４】
さらに、筆記具用キャップの大部分が弾性体によって覆われていることから、弾性体に覆われている任意の部分で擦過することによって、筆記具によって描かれた筆跡を消去する消去部材として用いることができる。例えば、当該筆記具用キャップを、鉛筆による筆跡の消去に用いることができ、また、熱によって変色するインクを有する筆記具に用いた場合には、紙面を擦過することによって摩擦熱を生じさせ、紙面上に描かれた筆跡を変色させることができる。なお、キャップ表面の表面粗さは、Ｒａ＝０．００９μｍ〜０．０１４μｍが望ましい。０．００９μｍより滑らかだと紙面上を滑り、０．０１４μｍ以上であると紙面を不用意に引っ掛けるおそれがある。また、ＪＩＳ  Ｋ６２５３  Ｄに規定されたデュロメータ硬度を３５〜９０とすることで、キャップ全体の剛性を向上させつつ、紙面を傷めずに摩擦熱を容易に発生させることができる。
【００６５】
なお、弾性体に覆われている部分を消去部材として用いる場合、通常、消しゴム付き鉛筆等に見られるような、筆記具本体の筆記部とは反対側の端部への消去部材の嵌合を行っていないため、消去部材が外れる等の不具合も生じないという利点もある。
【００６６】
また、キャップ本体３の射出成形において、金型のキャビティ内への入口であるゲート部をキャップ本体３の頂部ではなく、側面、例えばキャップ本体を４５°に傾斜しても筆記面又は紙面に当接しない位置に配置することによって、頂部表面を滑らかな外観にすることができる。また、頂部を消去部材として使用する際には、いわゆるゲート残り（又はゲート跡）によって紙面を傷つける等の問題なく、使用することが可能となる。
【符号の説明】
【００６７】
１    筆記具用キャップ
２    クリップ部材
３    キャップ本体
３ｃ    取付穴
４    環状部、基部
５    挟持部
【図１】
2014159173.tif 000003
【図２】
2014159173.tif 000004
【図３】
2014159173.tif 000005
【図４】
2014159173.tif 000006
【図５】
2014159173.tif 000007
【図６】
2014159173.tif 000008
【図７】
2014159173.tif 000009
【図８】
2014159173.tif 000010
【図９】
2014159173.tif 000011
【図１０】
2014159173.tif 000012
【図１１】
2014159173.tif 000013
【図１２】
2014159173.tif 000014
【図１３】
2014159173.tif 000015
【図１４】
2014159173.tif 000016
【手続補正書】
【提出日】平成26年5月2日(2014.5.2)
【手続補正１】
【補正対象書類名】明細書
【補正対象項目名】全文
【補正方法】変更
【補正の内容】
【発明の詳細な説明】
【技術分野】
【０００１】
本発明は筆記具用キャップ及び筆記具に関する。
【背景技術】
【０００２】
装飾の目的で、クリップ及び筐体を一体的に設けた内キャップを１次成形し、内キャップ全体を覆って内キャップより長い全長を有する外キャップを２次成形して形成された筆記具用キャップが公知である（特許文献１参照）。
【０００３】
また、筆記具を、コンピュータや電子手帳の入力手段であるタッチペンとして利用可能にする目的で、先端部にシャープペンシルの芯が出没可能な貫通孔を有し、軟質系弾性材料で形成された筆記具のキャップ状の筆記具用グリップが公知である（特許文献２参照）。
【０００４】
さらに、部品点数を少なくし、装飾の目的で、キャップ本体と、キャップ本体へ固定されるクリップ支持部及びクリップ支持部により支持されるクリップ片からなるクリップとを有する筆記具用キャップが公知である（特許文献３参照）。
【先行技術文献】
【特許文献】
【０００５】
【特許文献１】特開平１１−３４２６９７号公報
【特許文献２】特開平１１−１９８５８５号公報
【特許文献３】特開２００４−１３０６８１号公報
【発明の概要】
【発明が解決しようとする課題】
【０００６】
特許文献１の筆記具用キャップによれば、２色成形によって筆記具用キャップが形成されるが、その効果は装飾性を施すことにすぎない。従って、従来の筆記具用キャップと同様に、キャップ表面が滑りやすく、筆記具本体からの着脱がし難いという問題がある。また、表面が滑りやすいことによって、それを持った手や、収納した胸ポケット等からの脱落の危険もある。
【０００７】
特許文献２の筆記具用グリップは、弾性材料で形成されているため、特許文献１の筆記具用キャップに比べれば、滑りにくい構造である。しかしながら、特許文献２に記載されたものは、シャープペンシルをタッチペンとして利用可能にするためのグリップに過ぎず、キャップとしての機能は考慮されていない。すなわち、特許文献２の筆記具用グリップは、書類や衣類等の物品を挟持するためのクリップや、筆記具先端の筆記部からのインクの揮発を防止するためのシールゴム等を具備していない。仮にこの構造にクリップを取り付けようとすると、グリップ本体全体が弾性材料で形成されていることから、取り付け部分の強度が弱くなり、従って物品を安定して挟持することができない。さらに、全体が弾性材料で形成されていることから、垂直に落下した場合等、筆記具の軸線方向に力を受けたときに、座屈が生じ、筆記具先端の筆記部が損傷する恐れもある。
【０００８】
特許文献３の筆記具用キャップは、キャップ本体の内壁に設けられた嵌合部でのみ筆記具本体と嵌合するため、クリップ片を持ち上げて物品を挟持する際に、嵌合が緩む場合がある。さらに、この筆記具用キャップは、筆記具先端の筆記部からのインクの揮発を防止するためのシールゴムを配置するような構成とはなっていない。
【０００９】
そこで本発明は、滑りにくく且つ強度が確保され、クリップによって物品を安定して挟持できる筆記具用キャップ及び筆記具を提供することを目的とする。
【課題を解決するための手段】
【００１０】
前記課題を解決するために請求項１に記載の発明によれば、ペン先を保護するための筒状のキャップ本体を具備する筆記具用キャップであって、前記キャップ本体が、弾性材料からなり、且つ、当該筆記具用キャップが装着される筆記具によって描かれた筆跡を消去する消去部材である筆記具用キャップが提供される。
【００１１】
また、請求項２に記載の発明によれば請求項１に記載の発明において、前記キャップ本体が、その先端の頂部近傍に対応する場所以外にゲート部を有する型を用いて射出成形される筆記具用キャップが提供される。
【００１２】
また、請求項３に記載の発明によれば請求項１又は２に記載の発明において、前記弾性材料が、ゴム材質、熱可塑性エラストマー、２種以上の弾性材料の混合物、及び、弾性材料と合成樹脂との混合物のいずれかである筆記具用キャップが提供される。
【００１３】
また、請求項４に記載の発明によれば請求項３に記載の発明において、前記弾性材料が、ＪＩＳ Ｋ６２５３ Ｄに規定されたデュロメータ硬度を３５〜９０である筆記具用キャップが提供される。
【００１４】
また、請求項５に記載の発明によれば請求項１から４のいずれか１つに記載の発明において、前記キャップ本体外に延びるように設けられた挟持部を有するクリップ部材をさらに具備し、前記キャップ本体と前記クリップ部材とが２色成形によって作製される筆記具用キャップが提供される。
【００１５】
また、請求項６に記載の発明によれば請求項１から５のいずれか１つに記載の発明において、前記キャップ本体の表面の表面粗さは、Ｒａ＝０．００９μｍ〜０．０１４μｍである筆記具用キャップが提供される。
【００１６】
また、請求項９に記載の発明によれば、請求項１から６のいずれか１つに記載のキャップを装着した筆記具が提供される。
【発明の効果】
【００１７】
各請求項に記載の発明によれば、滑りにくく且つ強度が確保され、クリップにより物品を安定して挟持できるという共通の効果を奏する。
【図面の簡単な説明】
【００１８】
【図１】筆記具用キャップの斜視図である。
【図２】筆記具用キャップの正面図である。
【図３】筆記具用キャップの平面図である。
【図４】筆記具用キャップの底面図である。
【図５】筆記具用キャップの右側面図である。
【図６】筆記具用キャップの左側面図である。
【図７】筆記具用キャップの断面図である。
【図８】筆記具用キャップのクリップ部材の斜視図である。
【図９】シールゴムを装着した筆記具用キャップの右側面図である。
【図１０】シールゴムを装着した筆記具用キャップの断面図である。
【図１１】開口端部に硬質リングが設けられている筆記具用キャップの斜視図である。
【図１２】開口端部に硬質リングが設けられている筆記具用キャップの断面図である。
【図１３】筆記具用キャップを装着した筆記具全体の断面図である。
【図１４】図１３に示される筆記具先端の部分拡大断面図である。
【発明を実施するための形態】
【００１９】
図１は筆記具用キャップの斜視図である。１は筆記具用キャップ全体を示し、２はクリップ部材、３はキャップ本体を示す。
【００２０】
キャップ本体３の側面には、筆記具の中心軸線に対して対称に配置され、クリップ部材２を介して筆記具用キャップ１内部と連通する２つの貫通孔３ａが設けられている。キャップ本体３に貫通孔３ａが設けられていることによって、筆記具用キャップ１の筆記具本体に対する着脱時に、貫通孔３ａを介して筆記具用キャップ１内の空気が自由に出入りできるようになる。そのため、筆記具用キャップ１内圧の上昇又は低下がなく、筆記具用キャップ１をスムーズに着脱することが可能となる。また、２つの貫通孔３ａが軸対称に配置されることによって、２つの穴から空気の出入りが均等に行われ、軸対称に配置されていない場合に較べてよりスムーズな着脱が可能となる。なお、本実施形態では、貫通孔は２つであるが、１つ又は３つ以上であってもよく、外表面のどこに設けられていてもよい。
【００２１】
キャップ本体３の側面には、さらに、美的効果及び滑り止めのため、外周面に複数のディンプル３ｂが形成されている。ディンプルの代わりに、外周面周りに螺旋状に形成された溝による模様や、外周面に沿って環状に形成された溝による模様、又は、長手方向に延びる直線状に形成された溝を外周面に周りに複数配置した模様等であってもよい。
【００２２】
図２は、筆記具用キャップ１の正面図であり、図３はその平面図、図４はその底面図、図５はその右側面図、図６はその左側面図であり、図７は、筆記具用キャップ１の断面図であり、図８は、筆記具用キャップ１のクリップ部材の斜視図である。
【００２３】
なお、本明細書では、筆記具用キャップの閉鎖端側を先端又は前側とし、筆記具用キャップの開口端側を後端又は後側とする。
【００２４】
図２乃至図８を参照しながらクリップ部材２について説明する。クリップ部材２は、基部４及び基部４の外側面に一体的に形成された挟持部５からなる。なお、本実施形態では、基部４は環状に形成されており、以下、環状部４と称す。
【００２５】
環状部４は、後側の口径が前側の口径よりも大きく、その外観は略テーパー形状となっており、筆記具先端を受容するように構成されている。環状部４の内壁は、前端部及び後端部から内方に所定長さだけ略円筒形状で形成され、これら円筒形状で形成された領域間はテーパー状に形成されている。また、キャップ本体３の貫通孔３ａに対応する部分には、筆記具用キャップ１の外部と内部とが連通するように、貫通孔３ａと同様の形状をした切り欠き部４ａが形成されている。さらに、後側の円筒形状の内壁部分には、長手方向に亘って中心軸線に向かって突出したガイド突起４ｂが等間隔に複数設けられている。ガイド突起４ｂについては後述する。
【００２６】
挟持部５は、キャップ本体３との間に書類や衣類等の物品を、挟持することができるような弾性を有するように構成されている。挟持部５の後端には玉部５ａが一体的に形成される。
【００２７】
クリップ部材２を形成する材料として、ポリカーボネート、アクリロニトリル・ブタジエン・スチレン等の合成樹脂が挙げられる。しかしながら、挟持部５の屈曲時等における破断防止のため、弾性材料、特に以下に示すキャップ本体と同じ弾性材料を用いて形成してもよい。
【００２８】
キャップ本体３は、筆記具のペン先を保護するように、一端が閉鎖された弾性体からなる筒状の部材であり、その側面に取付穴３ｃが形成されている。キャップ本体３内にクリップ部材２の環状部４が配置され、クリップ部材２の挟持部５が取付穴３ｃを介してキャップ本体３の外に延びるように設けられている。すなわち、キャップ本体３は、クリップ部材２の環状部４の前側の開口を閉鎖すると共に後側の開口から所定長さだけ円筒状に延び、筆記具本体が挿入される開口を形成している。
【００２９】
クリップ部材２の玉部５ａに対向するキャップ本体３の外周面には、玉部５ａに対応する形状をした凹部３ｄを形成してもよい。玉部５ａ及び凹部３ｄが対応する形状を有することによって、書類や衣類等の挟持される物品も同様の形状に変形されて、よりしっかりと挟持され、外れにくくなる。
【００３０】
キャップ本体３を形成する材料として、シリコーンゴム、ニトリルゴム、エチレンプロピレンゴム、エチレンプロピレンジエンゴム等のゴム材質やスチレン系エラストマー、オレフィン系エラストマー、ポリエステル系エラストマー等の熱可塑性エラストマーといった弾性材料、２種以上の弾性材料の混合物、及び、弾性材料と合成樹脂との混合物が挙げられる。
【００３１】
図９は、シールゴム６を装着した筆記具用キャップ１の右側面図であり、図１０は、シールゴム６を配置した筆記具用キャップ１の断面図である。シールゴム６は、筆記具用キャップ１が用いられる筆記具が揮発性の高いインクを使用したボールペン等の場合に、筆記具先端の筆記部からのインクの揮発を防止するためにキャップ本体３内に配置される。図９及び図１０は、シールゴム６を付加した点以外、図５及び図７に示される図とそれぞれ同様である。
【００３２】
本実施形態におけるシールゴム６は任意の弾性材料からなる弾性体からなり、図１０に示されるように、両面に同軸に円形の凹部を有する略円板状であり、Ｈ型の縦断面形状を有している。なお、シールゴム６は、球状等その他形状であってもよい。
【００３３】
図７及び図１０を参照すると、キャップ本体３の先端内壁には、長手方向に亘って中心軸線に向かって延びる複数のリブ３ｅが設けられ、シールゴム６を弾性変形させつつ挟持する構造となっている。リブ３ｅは、等間隔に配列され、３つ以上あることが好ましい。
【００３４】
キャップ本体３内にシールゴム６を配置した状態で筆記具用キャップ１に筆記具本体を挿入すると、筆記具先端の筆記部がシールゴム６と係合する。すなわち、筆記部がシールゴム６の中央部分を押圧すると、シールゴム６は弾性変形し、筆記部がシールゴム６内に埋没する。その結果、筆記部からのインクの揮発を防止することが可能となる。
【００３５】
さらに、製造工程においてシールゴム６をキャップ本体３内へ配置するとき、キャップ本体３が弾性体からなることから、シールゴム６の挿入時にキャップ本体３も弾性変形するため、シールゴム６の寸法公差が多少大きくても確実に配置することが可能となる。
【００３６】
図１１は、開口端部に硬質リング８が設けられている筆記具用キャップ１の斜視図であり、図１２は、開口端部に硬質リング８が設けられている筆記具用キャップ１の断面図である。図１１及び図１２は、筆記具用キャップ１の開口端部に硬質リング８が設けられている以外は、上述の実施形態と同様である。
【００３７】
ここで「硬質」とは、少なくともキャップ本体３を形成する材料よりは硬いことを意味し、硬質リング８を形成する材料として、ポリカーボネート、ガラス、金属等が挙げられる。また、クリップ部材２を形成する材料と同じ材料を用いてもよい。
【００３８】
硬質リング８は、略円筒状に形成された環状のリング部材であり、キャップ本体３の開口端部の外周面に嵌合される。すなわち、キャップ本体３の外周面には、開口端から所定長さに亘って硬質リング８を受容する環状の凹部３ｇが、硬質リング８を受容するように形成されている。硬質リング８の内径は、キャップ本体３の凹部３ｇ部分の外径と略同じか又はそれよりも僅かばかり小さく形成される。硬質リング８の外径は、キャップ本体３の開口端部近傍と略同じ外径に形成され、従って、略同一の外周面を形成する。硬質リング８が嵌合した状態で、キャップ本体３の後端面及び硬質リング８の後端面は、略同一の後端面を形成する。
【００３９】
なお、上述の略円筒状の硬質リング８は、外周面や後端面がその他のキャップ本体３部分と同一面を形成するよう径方向の断面形状が長方形であったが、その他の断面形状、例えば円形や楕円形等であってもよい。
【００４０】
硬質リング８のキャップ本体３の凹部３ｇへの嵌合は、圧入によって行われる。キャップ本体３が十分な剛性を有さず、硬質リング８が外れる恐れがある場合には、両者を接着剤によって接着してもよい。また、硬質リング８は、後述するように、クリップ部材２と共に２色成形によってキャップ本体３に設けてもよい。
【００４１】
筆記具用キャップ１の開口端部に硬質リング８を設けることによって、開口端部の撓みが防止されることから、使用者が筆記具用キャップ１をしっかりと保持することが可能となる。また、キャップ本体３とは異なる素材を用いることによって、開口端部がその他のキャップ本体３部分とは異なる質感を有することから、装飾効果を得ることもできる。
【００４２】
次に、図１３及び図１４を参照しながら、筆記具用キャップ１を筆記具本体７へ装着した際の嵌合について説明する。図１３は、筆記具用キャップ１を装着した筆記具全体の断面図であり、図１４は、筆記具用キャップ１を装着した筆記具先端の部分拡大断面図である。
【００４３】
筆記具本体７は、筆記部７ａと嵌合突起７ｂと係止面７ｃとを有している。図１３及び図１４に示される筆記部７ａは、ボールペンの筆記部７ａであり、シールゴム６が弾性変形している状態が示されている。嵌合突起７ｂは、筆記具本体７の外周面全周に亘って形成された突起であり、係止面７ｃは、筆記部７ａ側の嵌合突起７ｂの底部近傍から形成された、筆記具の中心軸線に対して略垂直な環状の平面である。一方、クリップ部材２の環状部４よりも後側のキャップ本体３の内壁には、筆記具本体７の嵌合突起７ｂと係合する係止突起３ｆが全周に亘って形成されている。
【００４４】
図面右方向から左方向に向かって筆記具用キャップ１内に筆記具本体７を挿入すると、まず、筆記具本体７の嵌合突起７ｂが、キャップ本体３の係止突起３ｆと当接し係止する。その状態からさらに筆記具本体７を押し込むと、筆記具本体７の嵌合突起７ｂとキャップ本体３の係止突起３ｆとが互いに押圧し合い、中心軸線に対して垂直方向の反力が双方に生じる。その結果、筆記具本体７の収縮方向及びキャップ本体３の拡大方向のいずれか一方又は両方の弾性変形が生じ、筆記具本体７の嵌合突起７ｂが、キャップ本体３の係止突起３ｆとの係止を離れて、キャップ本体３内奥へと通過することができる。筆記具本体７の嵌合突起７ｂがキャップ本体３の係止突起３ｆを通過した後に、筆記具本体７の係止面７ｃが、クリップ部材２の環状部４の後端面４ｃと当接して係止し、図１３及び図１４に示された状態のように、筆記具用キャップ１と筆記具本体７との嵌合が完了する。
【００４５】
嵌合が完了すると、筆記具本体７をキャップ本体３内に押し込む方向については、筆記具本体７の係止面７ｃと環状部４の後端面４ｃとの係止によって規制され、筆記具本体７をキャップ本体３から外す方向については、筆記具本体７の嵌合突起７ｂとキャップ本体３の係止突起３ｆとの間の、上述の押し込む方向とは逆方向の係止によって規制される。
【００４６】
筆記具用キャップ１を筆記具本体７から外す際には、上述の筆記具用キャップ１の筆記具本体への装着とは反対に、筆記具本体７を引っ張ることによって、中心軸線に対して垂直方向の反力を双方に生じさせる。それによって生じる弾性変形によって、筆記具本体７の嵌合突起７ｂとキャップ本体３の係止突起３ｆとの係止が外れ、筆記具用キャップ１を筆記具本体７から外すことができる。
【００４７】
嵌合時、筆記具本体７の係止面７ｃと環状部４の後端面４ｃとが当接又は近接していることによって、物品を挟持するために挟持部５を持ち上げる際に筆記具用キャップ１自体に加わる力は、環状部４と、係止面７ｃ及び後端面４ｃ間の当接面とによって吸収される。従って、キャップ本体３が、大きく変形したり、筆記具本体７に対して大きく移動したりするようなことはなく、筆記具先端の筆記部７ａとシールゴム６との係合も外れることなく維持される。
【００４８】
筆記具本体７の嵌合突起７ｂ及びキャップ本体３の係止突起３ｆは、それぞれ筆記具本体７の外周面の全周及びキャップ本体３の内壁の全周に亘って形成されているが、それぞれ少なくとも一部に形成されるように構成してもよい。
【００４９】
キャップ本体３に対する環状部４の後端面４ｃの位置と、キャップ本体３の係止突起３ｆの形状及び位置と、筆記具本体７の嵌合突起７ｂの形状とを調整することにより、ゆるみ（遊び）の少ない、よりしっかりとした嵌合を実現することが可能となる。係止突起３ｆの位置は、後端面４ｃに近い位置の方が望ましい。さらに、ゆるみが少ないため、筆記部７ａがシールゴム６と確実に係合し、筆記部７ａのシール不良によるインクの揮発を防止することができる。さらに、上述の嵌合及び筆記部７ａとシールゴム６との係合を阻害しないように、キャップ本体３の後端面と該後端面と係合する筆記具本体７の部分とが間隙を有して構成されている（図１３のＡ部参照）。
【００５０】
クリップ部材２の環状部４の長手方向の長さは、様々に設定することができるが、短くすればするほど、キャップ本体３が弾性体であることから、挟持部５の安定性が悪くなる。従って、環状部４の長手方向の長さは、挟持部５の安定性が許容範囲内となるように決定される。また、環状部４の後端面４ｃが、キャップ本体３の後端面を越えないように決定されることが好ましい。
【００５１】
筆記具用キャップ１に筆記具本体７を挿入する際には、筆記具用キャップ１の中心軸線と筆記具本体７の中心軸線とが一致するように、真っ直ぐに挿入されることが望ましい。しかしながら、時として、筆記具用キャップ１に筆記具本体７が真っ直ぐ挿入されず、２つの中心軸線が斜めになった状態で挿入される。このため、両者をうまく嵌合させることができない場合がある。
【００５２】
そこで、上述のように、クリップ部材２の環状部４にガイド突起４ｂを設け、筆記具用キャップ１に筆記具本体７が斜めに挿入された場合であっても、最終的に嵌合が完了するときには両者の中心軸線は一致した状態に案内されるように構成される。すなわち、クリップ部材２の環状部４にガイド突起４ｂが設けられていることによって、ガイド突起４ｂ頂点部分を通るクリップ部材２の環状部４の実質的な内径が、ガイド突起４ｂを有さない通常のキャップの内径と比較して小さくなる。そのため、環状部４と筆記具本体７との間のゆるみ（遊び）が少なくなり、筆記具本体７の挿入時に両中心軸線が形成し得る角度がより小さくなる。従って、筆記具本体７が斜めに挿入された場合において、環状部４のガイド突起４ｂと当接した筆記具本体７の外周との間の摩擦抵抗がより小さくなり、嵌合がスムーズに行われる。
【００５３】
また、ガイド突起４ｂを有することによって、筆記具本体７の外周との接触面積もより小さくなり、そのため摩擦抵抗もより小さくなる。なお、ガイド突起４ｂはその他の形状を有してもよく、その形状及び長手方向の長さは、ガイド突起４ｂと筆記具本体７の前方部は接触しない又は嵌合しない形状にすることで、筆記具本体７が斜めに挿入された場合であっても嵌合不良を起こさないように最適化される。
【００５４】
ガイド突起４ｂは、筆記具用キャップ１に対する筆記具本体７のセンタリングにも役立つ。すなわち、ガイド突起４ｂを有することによって、上述のように環状部４と筆記具本体７との間のゆるみが少なくなり、正確にセンタリングをすることができる。また、筆記具本体７のセンタリングは主にクリップ部材２の環状部４に設けられたガイド突起４ｂによって行われることから、筆記具用キャップ１の全長によらずセンタリングを行うことが可能となる。
【００５５】
さらに、このガイド突起４ｂは、例えば筆記時に、筆記具用キャップ１を筆記具本体７の後端部７ｄに取り付けた場合に安定した嵌合を提供する。すなわち、上述の筆記具本体７の筆記部７ａ側への筆記具用キャップ１の嵌合は、スナップ式の嵌合であるのに対して、筆記具本体７の後端部７ｄへの筆記具用キャップ１の嵌合は、圧入によって行われる。従って、ガイド突起４ｂ頂点部分を通るクリップ部材２の環状部４の内径と、筆記具本体７の後端部７ｄの外径との関係に加え、図１３における圧入距離Ｌの長さを最適に設計することによって、所望の嵌合力を得ることが可能となる。嵌合力を設定する１つの指針として、筆記具用キャップ１を筆記具本体７の後端部７ｄに嵌合した状態で、後述するように、キャップ本体３の頂部等を筆跡の消去部材として使用し、紙面等を擦過した場合に、安定しているか否かということが挙げられる。
【００５６】
筆記具用キャップ１は、例えば、２色成形によって作製することができる。２色成形を用いた場合には、まず、クリップ部材２を１次成形し、その後、キャップ本体３を２次成形することによって、筆記具用キャップが形成される。
【００５７】
２色成形は、通常、１次成形用及び２次成形用の金型とコアピンを用い、コアピン先端周りに筆記具用キャップを成形するが、射出成形時に、コアピンが一端でしか保持されていない場合は、コアピンの曲がり等が生じ、正確な寸法形状に成形できない場合がある。すなわち、射出成形時にコアピンの先端部は、通常、固定されておらず、他端によってのみ保持されている。
【００５８】
そこで、射出成形時に、金型からキャビティ内へ突出する固定ピンがコアピン先端に当接し支持することによって、コアピンの先端部を固定し、射出成形時のコアピンの曲がりを防止している。なお、射出成形中もコアピン先端には固定ピンが当接しているため、成形品は固定ピンの形状で空隙を有する。これを利用し、固定ピンの横断面形状を選択することによって、１次成形ではクリップ部材２の切り欠き部４ａを、２次成形ではキャップ本体３の貫通孔３ａを、成形することができる。なお、固定ピンはコアピン側に設けられてもよい。
【００５９】
筆記具用キャップ１の表面の大部分を占めるキャップ本体３が、弾性材料からなることから、筆記具用キャップ１及びそれを装着した筆記具は滑りにくい。また、クリップ部材２が環状部４を有することによって、挟持動作時に特に負荷がかかる部分が補強されるため、強度を確保することができ、物品を安定して挟持することができる。従って、筆記具を持った手や、収納した胸ポケット等からの脱落の危険性が、従来の筆記具に較べて少なくなるという利点がある。なお、本実施形態では、基部４を環状に形成したが、キャップ本体を補強することができる任意の形状、例えば、Ｃ字型の横断面を有する形状であってもよい。
【００６０】
また、例えば、通常、使用者が良く行う動作であるが、掌、中指、薬指、及び小指で筆記具本体を把持し、人差し指と親指で筆記具用キャップを着脱する場合にも、滑りにくく、容易に着脱ができるという利点もある。さらに、例えば、振動や衝撃に弱いボールペン等において、筆記具がキャップ頂部から垂直に落下した場合等、筆記具本体への衝撃は弾性体からなる筆記具用キャップによって緩和され、且つ、クリップ部材２によって強度も確保される。それによって、筆記部からの液漏れ等の不具合が発生する危険性も軽減されるという利点もある。
【００６１】
さらに、筆記具用キャップの大部分が弾性体によって覆われていることから、弾性体に覆われている任意の部分で擦過することによって、筆記具によって描かれた筆跡を消去する消去部材として用いることができる。例えば、当該筆記具用キャップを、鉛筆による筆跡の消去に用いることができ、また、熱によって変色するインクを有する筆記具に用いた場合には、紙面を擦過することによって摩擦熱を生じさせ、紙面上に描かれた筆跡を変色させることができる。なお、キャップ表面の表面粗さは、Ｒａ＝０．００９μｍ〜０．０１４μｍが望ましい。０．００９μｍより滑らかだと紙面上を滑り、０．０１４μｍ以上であると紙面を不用意に引っ掛けるおそれがある。また、ＪＩＳ  Ｋ６２５３  Ｄに規定されたデュロメータ硬度を３５〜９０とすることで、キャップ全体の剛性を向上させつつ、紙面を傷めずに摩擦熱を容易に発生させることができる。
【００６２】
なお、弾性体に覆われている部分を消去部材として用いる場合、通常、消しゴム付き鉛筆等に見られるような、筆記具本体の筆記部とは反対側の端部への消去部材の嵌合を行っていないため、消去部材が外れる等の不具合も生じないという利点もある。
【００６３】
また、キャップ本体３の射出成形において、金型のキャビティ内への入口であるゲート部をキャップ本体３の頂部ではなく、側面、例えばキャップ本体を４５°に傾斜しても筆記面又は紙面に当接しない位置に配置することによって、頂部表面を滑らかな外観にすることができる。また、頂部を消去部材として使用する際には、いわゆるゲート残り（又はゲート跡）によって紙面を傷つける等の問題なく、使用することが可能となる。
【００６４】
本発明の一態様によれば、ペン先を保護するための筒状のキャップ本体であって側面に取付穴が形成された弾性体からなるキャップ本体と、基部及び該基部外側面に設けられた挟持部を備えたクリップ部材とを具備し、前記基部が筆記具先端を受容し且つ前記挟持部が前記取付穴を介して前記キャップ本体外に延びるように前記クリップ部材を前記キャップ本体に対して設けた筆記具用キャップが提供される。
【００６５】
すなわち、本態様では、キャップ本体が弾性体からなるため、滑りにくい構造となっている。その一方で、キャップ本体を弾性体にすることによって強度が低下し、クリップ自体の取り付けが不安定なことから物品の挟持力が弱いという問題を、クリップ部材が基部を備えることによってキャップ本体を補強し、解消している。従って、本発明による筆記具用キャップは、滑りにくく且つ強度が確保され、クリップにより物品を安定して挟持できるという効果を奏する。
【００６６】
また、本発明の別の態様によれば、前記基部が環状に形成されている筆記具用キャップが提供される。すなわち、本態様では、基部が環状であることによって、筆記具用キャップは、全周方向からの負荷に対して補強される。
【００６７】
また、本発明の別の態様によれば、前記基部よりも長手方向開口端側の前記キャップ本体内壁に、筆記具本体に設けられた嵌合突起との嵌合を形成する係止突起が設けられた筆記具用キャップが提供される。すなわち、本態様では、基部という新規な構成を有する当該筆記具用キャップであっても、筆記具本体との嵌合を形成することが可能となる。
【００６８】
また、本発明の別の態様によれば、前記基部が、前記嵌合時に、筆記具本体に設けられた係止面と当接する後端面をさらに具備した筆記具用キャップが提供される。すなわち、本態様では、筆記具用キャップ及び筆記具本体間の相対的な長手方向の位置決めが可能となる。また、嵌合時に係止面と後端面とが当接することからゆるみの少ない嵌合が実現できる。さらに、キャップ嵌合時にはっきりとした音とクリック感が得られ、嵌合の確認が容易となる。
【００６９】
また、本発明の別の態様によれば、当該筆記具用キャップの外表面に、その内部と連通する少なくとも１つの貫通孔を形成した筆記具用キャップが提供される。すなわち、本態様では、当該筆記具用キャップの筆記具本体に対する着脱時に、貫通孔を通して空気が自在に出入りすることが可能となる。従って、当該筆記具用キャップの内圧の上昇又は低下がなく、筆記具用キャップをスムーズに着脱することが可能となる。また、キャップを誤って飲みこんでしまった場合も、通気孔としての機能があるため窒息を防ぐことができる。
【００７０】
また、本発明の別の態様によれば、前記キャップ本体先端部分の内壁によって保持され、当該筆記具用キャップを筆記具本体に装着すると、筆記具先端の筆記部と係合して筆記部をシールするシール部材をさらに具備した筆記具用キャップが提供される。すなわち、本態様では、筆記具が揮発性の高いインクを使用している場合に、筆記部がシールされることから、筆記部からのインクの揮発を防止することが可能となる。さらに、シール部材とキャップの取り付けにおける密着性が高いので、シール部材が外れ難くなる。
【００７１】
また、本発明の別の態様によれば、前記挟持部の後端には玉部が形成され、前記キャップ本体の外周面には前記玉部に対応する形状の凹部が形成され、前記玉部及び前記凹部が対向して配置された筆記具用キャップが提供される。すなわち、本態様では、玉部及び凹部が対応する形状を有することから、書類や衣類等の挟持される物品も同様の形状に変形されることから、抜けにくく、よりしっかりと挟持をすることが可能となる。
【００７２】
また、本発明の別の態様によれば、前記キャップ本体が、その先端の頂部近傍に対応する場所以外にゲート部を有する型を用いて射出成形される筆記具用キャップが提供される。すなわち、本態様では、ゲート残り（又はゲート跡）がキャップ本体の頂部には形成されないことから、美感を損なわず、また、頂部を筆跡の消去部材として使用する場合に、紙面等を傷つける心配もない。
【００７３】
また、本発明のさらに別の態様によれば、上記態様のいずれか１つの態様のキャップを装着した筆記具が提供される。
【００７４】
本発明によれば、滑りにくく且つ強度が確保され、クリップにより物品を安定して挟持できるという共通の効果を奏する。
【符号の説明】
【００７５】
１    筆記具用キャップ
２    クリップ部材
３    キャップ本体
３ｃ    取付穴
４    環状部、基部
５    挟持部
【手続補正２】
【補正対象書類名】特許請求の範囲
【補正対象項目名】全文
【補正方法】変更
【補正の内容】
【特許請求の範囲】
【請求項１】
ペン先を保護するための筒状のキャップ本体を具備する筆記具用キャップであって、前記キャップ本体が、弾性材料からなり、且つ、当該筆記具用キャップが装着される筆記具によって描かれた筆跡を消去する消去部材である筆記具用キャップ。
【請求項２】
前記キャップ本体が、その先端の頂部近傍に対応する場所以外にゲート部を有する型を用いて射出成形される請求項１に記載の筆記具用キャップ。
【請求項３】
前記弾性材料が、ゴム材質、熱可塑性エラストマー、２種以上の弾性材料の混合物、及び、弾性材料と合成樹脂との混合物のいずれかである請求項１又は２に記載の筆記具用キャップ。
【請求項４】
前記弾性材料が、ＪＩＳ Ｋ６２５３ Ｄに規定されたデュロメータ硬度を３５〜９０である請求項３に記載の筆記具用キャップ。
【請求項５】
前記キャップ本体外に延びるように設けられた挟持部を有するクリップ部材をさらに具備し、前記キャップ本体と前記クリップ部材とが２色成形によって作製される請求項１から４のいずれか１つに記載の筆記具用キャップ。
【請求項６】
前記キャップ本体の表面の表面粗さは、Ｒａ＝０．００９μｍ〜０．０１４μｍである請求項１から５のいずれか１つに記載の筆記具用キャップ。
【請求項７】
請求項１から６のいずれか１つに記載の筆記具用キャップを装着した筆記具。